(57)【要約】【課題】隙間が生ずることがなく、中に入れた食品などが漏れたり、零れたりすることのない容器を提供する。【解決手段】前面板１と後面板２が左右方向両端で連結され、前面板の下端両隅部から設けられた上に凸の前下端折罫３を介して前底面板４が連設され、前底面板の反対側端部には、前面板の下端両隅部を結ぶ直線状の前底折罫を介して、前支持板６が設けられ、後面板の下端両隅部から設けられた上に凸の後下端折罫７を介して後底面板が連設され、後底面板の反対側端部には、後面板の下端両隅部を結ぶ直線状の後底折罫を介して、後支持板１０が設けられ、前支持板と後支持板が左右方向両端で連結され、前底折罫と後底折罫がほぼ接するように、前下端折罫と後下端折罫で前底面板と後底面板が内方に折られ、後支持板が後底折罫で折り返されて、前支持板と後支持板が後面板側に突き出ていて、且つ、アーチ状に形成されている。【選択図】図１
2017019535.tif 000002
【特許請求の範囲】
【請求項１】
前面板と後面板が左右方向両端で連結され、
前記前面板の下端両隅部から設けられた上に凸の屈曲あるいは湾曲した前下端折罫を介して前底面板が連設され、
前記前底面板の反対側端部には、前記前面板の下端両隅部を結ぶ直線状の前底折罫を介して、前支持板が設けられ、
前記後面板の下端両隅部から設けられた上に凸の屈曲あるいは湾曲した後下端折罫を介して後底面板が連設され、
前記後底面板の反対側端部には、前記後面板の下端両隅部を結ぶ直線状の後底折罫を介して、後支持板が設けられ、
前記前支持板と前記後支持板が左右方向両端で連結され、
前記前底折罫と前記後底折罫がほぼ接するように、前記前下端折罫と前記後下端折罫で前記前底面板と前記後底面板が内方に折られ、
前記後支持板が前記後底折罫で折り返されて、前記前支持板と前記後支持板が前記後面板側に突き出ていて、且つ、前記前底面板、前記後底面板、前記前支持板および前記後支持板が、前記前下端折罫と前記後下端折罫の上に凸の形状に合わせて、左右中央部が持ち上がり、アーチ状に形成されていることを特徴とする容器。
【請求項２】
平坦に展ばしたときの前記前面板と前記後面板は上端の幅が下端の幅より広くなっていることを特徴とする請求項１に記載の容器。
【請求項３】
前記前面板と前記後面板のいずれか、または、両方に縦方向の縦折罫が設けられていることを特徴とする請求項１または２に記載の容器。
【請求項４】
前記前下端折罫または前記後下端折罫が屈曲した折罫からなり、折罫の屈曲点から前記縦折罫が設けられていることを特徴とする請求項３に記載の容器。
【請求項５】
前記前底面板、前記前支持板、前記後底面板、前記後支持板のうちのどれかに、前後方向の前後折罫が設けられていることを特徴とする請求項１から４のいずれか１項に記載の容器。
【請求項６】
前記前後折罫が前記縦折罫の延長線上に設けられていることを特徴とする請求項５に記載の容器。
【請求項７】
前記後下端折罫の頂部から前記後底折罫までの長さが、前記前下端折罫の頂部から前記前底折罫までの長さより長いことを特徴とする請求項１から６のいずれか１項に記載の容器。
【請求項８】
前記後面板の上端部に、左右方向の直線状の蓋折罫を介して、蓋面板が連設されていることを特徴とする請求項１から７のいずれか１項に記載の容器。
【発明の詳細な説明】
【技術分野】
【０００１】
本発明は、容器に関するものである。特に、店舗などで食品を入れて販売し、食器に移し替えなくとも、そのまま容器から食することのできるようにした容器に関するものである。
【背景技術】
【０００２】
コンビニエンスストアーなどの店頭で、フライドポテト、から揚げ、フライドポテトなどのホットスナックが販売されている。これらは調理加熱されて、紙カップ容器などに入れて販売されていた。
【０００３】
ところが紙カップ容器は、空の状態でも場所をとり、また、コストのこともあり、最近では厚紙などで形成されていて、保管時には折り畳めて、平坦にでき、簡便でコスト的にも有利な容器が用いられるようになってきた。そして、この平坦になっている容器を、店舗で起こして立体化させ、食品を入れて販売することが行われている。
【０００４】
ところが、コンビニエンスストアーなどでは、店員のほとんどがアルバイトやパート従業員で構成されており、作業スキルも一定しないため、極力簡単な工程で容器が完成することが望ましい。
【０００５】
このような容器として、例えば、正面片と背面片とが左右両端で連結し筒状に形成され、正面片の下端に上に凸の湾曲した折り目を介して底面片が設けられ、更に、自立片が同一面に連ねられて設けられ、背面片の下端には上に凸の湾曲した折り目を介して内側底面片が設けられ、内側底面片を内方に折って、更に内側底面片の外側に重なるように底面片を折って、形成した容器がある（特許文献１）。このとき、自立片が背面片の下から外側に突き出ていて、置いたときに底面片と合わせて、安定するようになっている。
【０００６】
前述のように販売される食品には、揚げ物関係が多く、揚げカスが出ることがある。上記のような容器では、底部の左右両端部分に隙間ができる恐れがあり、ここから揚げ油が漏れたり、揚げカスのような細かなものが落ちたりしてしまうことが考えられる。
【０００７】
公知文献を以下に示す。
【先行技術文献】
【特許文献】
【０００８】
【特許文献１】特許第５２３５０４１号公報
【発明の概要】
【発明が解決しようとする課題】
【０００９】
本発明は上記のような事情に鑑みてなされたもので、隙間が生ずることがなく、中に入れた食品などが漏れたり、零れたりすることのない容器を提供することを課題としている。
【課題を解決するための手段】
【００１０】
本発明は係る課題に鑑みなされたものであり、請求項１の発明は、前面板と後面板が左右方向両端で連結され、
前記前面板の下端両隅部から設けられた上に凸の屈曲あるいは湾曲した前下端折罫を介して前底面板が連設され、
前記前底面板の反対側端部には、前記前面板の下端両隅部を結ぶ直線状の前底折罫を介して、前支持板が設けられ、
前記後面板の下端両隅部から設けられた上に凸の屈曲あるいは湾曲した後下端折罫を介して後底面板が連設され、
前記後底面板の反対側端部には、前記後面板の下端両隅部を結ぶ直線状の後底折罫を介して、後支持板が設けられ、
前記前支持板と前記後支持板が左右方向両端で連結され、
前記前底折罫と前記後底折罫がほぼ接するように、前記前下端折罫と前記後下端折罫で前記前底面板と前記後底面板が内方に折られ、
前記後支持板が前記後底折罫で折り返されて、前記前支持板と前記後支持板が前記後面板側に突き出ていて、且つ、前記前底面板、前記後底面板、前記前支持板および前記後支持板が、前記前下端折罫と前記後下端折罫の上に凸の形状に合わせて、左右中央部が持ち上がり、アーチ状に形成されていることを特徴とする容器である。
【００１１】
本発明の容器は、以上のような構成であって、前面板と後面板が左右方向両端で連結され、且つ、前支持板と後支持板が左右方向両端で連結されていて、前底面板、前支持板、後底面板、後支持板が前下端折罫と後下端折罫の、上に凸の形状に合わせて、左右中央部が持ち上がり、アーチ状に形成されているので、前底面板、前支持板、後底面板、後支持板が互いに押し付けられた状態で、底が開いてしまうこともなく、また、左右の下端隅部に隙間が開くことがない。このため、中に入れた食品などが漏れたり、零れたりすることがない。
【００１２】
本発明の請求項２の発明は、平坦に展ばしたときの前記前面板と前記後面板は上端の幅が下端の幅より広くなっていることを特徴とする請求項１に記載の容器である。
【００１３】
本発明は、前面板と後面板は上端の幅が下端の幅より広くなっているので、容器の開口部が、底部より広く設けることができ、食品などの出し入れが容易にできる。
【００１４】
本発明の請求項３の発明は、前記前面板と前記後面板のいずれか、または、両方に縦方向の縦折罫が設けられていることを特徴とする請求項１または２に記載の容器である。
【００１５】
本発明は、前面板や後面板に縦折罫が設けられているので、容器を組み立てるときに、前面板と後面板を筒状にしやすい。
【００１６】
本発明の請求項４の発明は、前記前下端折罫または前記後下端折罫が屈曲した折罫からなり、折罫の屈曲点から前記縦折罫が設けられていることを特徴とする請求項３に記載の容器である。
【００１７】
本発明は、前下端折罫や後下端折罫が屈曲した折罫からなっている場合、折罫の屈曲点から縦折罫が設けられていると、容器を組み立てるときに、組み立てやすい。
【００１８】
本発明の請求項５の発明は、前記前底面板、前記前支持板、前記後底面板、前記後支持板のうちのどれかに、前後方向の前後折罫が設けられていることを特徴とする請求項１から４のいずれか１項に記載の容器である。
【００１９】
本発明は、前後折罫が設けられているので、前底面板、前支持板、後底面板や、後支持板が、アーチ状に形成させるときに、容易にできる。
【００２０】
本発明の請求項６の発明は、前記前後折罫が前記縦折罫の延長線上に設けられていることを特徴とする請求項５に記載の容器である。
【００２１】
本発明は、前後折罫が縦折罫の延長線上に設けられているので、前後折罫を折るときに、縦折罫の設けられた前面板や後面板の筒状の横断面形状に合わせて、前底面板、前支持板、後底面板や、後支持板を折ることができる。
【００２２】
本発明の請求項７の発明は、前記後下端折罫の頂部から前記後底折罫までの長さが、前記前下端折罫の頂部から前記前底折罫までの長さより長いことを特徴とする請求項１から６のいずれか１項に記載の容器である。
【００２３】
本発明は、後下端折罫の頂部から後底折罫までの長さが、前下端折罫の頂部から前底折罫までの長さより長いので、前面板と後面板で形成された筒状が全体として後に傾き、中の食品などが取り出しやすく、また、後ろ側に飛び出している前支持板と後支持板で支えやすい。
【００２４】
本発明の請求項８の発明は、前記後面板の上端部に、左右方向の直線状の蓋折罫を介して、蓋面板が連設されていることを特徴とする請求項１から７のいずれか１項に記載の容器である。
【００２５】
本発明は、後面板の上端部に、左右方向の直線状の蓋折罫を介して、蓋面板が連設されているので、前面板と後面板で形成された筒状部の上端開口部を覆い、埃などが入ることを防ぐことができる。
【発明の効果】
【００２６】
本発明の容器は、隙間が生ずることがなく、中に入れた食品などが漏れたり、零れたりすることがない。
【図面の簡単な説明】
【００２７】
【図１】（ａ）本発明の容器の一例を模式的に正面で示した説明図である。（ｂ）本発明の容器の一例を模式的に背面で示した説明図である。
【図２】本発明の容器の一例を模式的に左側面で示した説明図である。
【図３】本発明の容器の一例を模式的に平面で示した説明図である。
【図４】本発明の容器の一例を模式的に底面で示した説明図である。
【図５】本発明の容器の一例で、蓋をした状態を模式的に左側面で示した説明図である。
【図６】本発明の容器の一例で、蓋を開けて、係止させた状態を模式的に左側面で示した説明図である。
【図７】本発明の容器の一例のブランクを模式的に示した説明図である。
【図８】本発明の容器の一例の組み立てかたを模式的に示した説明図である。
【発明を実施するための形態】
【００２８】
以下、本発明を実施するための形態について説明する。
図１（ａ）は、本発明の容器の一例を模式的に正面で示した説明図、図１（ｂ）は、本発明の容器の一例を模式的に背面で示した説明図、図２は、本発明の容器の一例を模式的に左側面で示した説明図、図３は、本発明の容器の一例を模式的に平面で示した説明図、図４は、本発明の容器の一例を模式的に底面で示した説明図、図５は、本発明の容器の一例で、蓋をした状態を模式的に左側面で示した説明図、図６は、本発明の容器の一例で、蓋を開けて、係止させた状態を模式的に左側面で示した説明図である。
【００２９】
本例の容器は、図１から図４に示すように、前面板１と後面板２が左右方向両端で連結されていて、前面板１の下端両隅部から設けられた上に凸の湾曲した円弧状の前下端折罫３を介して前底面板４が連設されている。前底面板４の反対側端部には、前面板１の下端
両隅部を結ぶ直線状の前底折罫５を介して、前支持板６が設けられている。
【００３０】
後面板２の下端両隅部から設けられた上に凸の台形状に屈曲した後下端折罫７を介して後底面板８が連設され、後底面板８の反対側端部には、後面板２の下端両隅部を結ぶ直線状の後底折罫９を介して、後支持板１０が設けられている。
【００３１】
前支持板６と後支持板１０も左右方向両端で連結され、前底折罫５と後底折罫９がほぼ接するように、前下端折罫３と後下端折罫７で前底面板４と後底面板８が内方に折られ、後支持板１０が後底折罫９で折り返されて、前支持板６と後支持板１０が後面板２側に突き出ている。
【００３２】
そして、前底面板４、後底面板８、前支持板６および後支持板１０が、前下端折罫３と後下端折罫７の上に凸の形状に合わせて、左右中央部が持ち上がり、アーチ状に形成されている。また、後面板２の上端部には、左右方向の直線状の蓋折罫１１を介して、蓋面板１２が連設されている。
【００３３】
後面板２には、縦方向の縦折罫１３、１３が設けられていて、縦折罫１３、１３は台形状に屈曲した後下端折罫７の屈曲点から上方に向かって設けられている。また、前面板１には、爪楊枝を挿して保持して置くための、湾曲した山字型の切れ込み１４が設けられている。
【００３４】
後底面板８と後支持板１０には、後面板２に設けられた縦折罫１３、１３の延長線上に、前後方向の前後折罫１５、１５が設けられている。また、前支持板６にも前後方向の前後折罫１６、１６が、後支持板１０と重ねられたときに対向する位置に設けられ、前底面板４にも延長されている。また、前底面板４には、前下端折罫３が湾曲した円弧状であるので、前下端折罫３で折りやすいように、補助折罫１７、１７が設けられている。
【００３５】
後下端折罫７の頂部から後底折罫９までの長さが、前下端折罫３の頂部から前底折罫５までの長さより長く設けられていて、前面板１と後面板２で形成された筒状が全体として後に傾くようになっている。
【００３６】
また、底部の横断面の面積は、上部の横断面の面積より小さく形成されている。これは前面板と後面板を平坦に展ばしたときの上端の幅が下端の幅より広くなっているためである。
【００３７】
本例の容器には、後面板２の上端部に蓋折罫１１を介して、蓋面板１２が連設されているが、容器に内容物を収納して蓋をするときは、蓋折罫１１で蓋面板１２を前側に倒し、先端部を、図５のように、前面板１の内側に差し込んで止めればよい。
【００３８】
また、容器の蓋を開いて、中の食品などの内容物を取り出すときは、蓋折罫１１で蓋面板１２を後側に倒し、先端部を、図６のように、後面板２と後支持板１０の間に差し込んで止めることができる。
【００３９】
本例の容器は、前面板１の下端に上に凸の湾曲した円弧状の前下端折罫３を設け、後面板２の下端に、上に凸の台形状に屈曲した後下端折罫７を設けたが、本発明の容器においてはこれに限られることはない。
【００４０】
前面板１の下端に上に凸の屈曲した前下端折罫を設けてもよく、上に凸の屈曲した前下端折罫も台形状以外の例えば、三角形状の上に凸の屈曲した前下端折罫を設けてもよい。また、後面板２の下端に、上に凸の三角形状やその他の屈曲した後下端折罫を設けたり、
上に凸の湾曲した後下端折罫を設けたりしてもよい。
【００４１】
以下、本例の容器の製造方法について説明する。
図７は、本発明の容器の一例のブランクを模式的に示した説明図、図８は、本発明の容器の一例の組み立てかたを模式的に示した説明図である。
【００４２】
本例の容器は、板紙などの腰のあるシートを用いた、図７に示すブランクを組み立てて製造することができる。図の一点鎖線は折罫を示す。
【００４３】
図で、右側に前面板１が設けられていて、前面板１の右寄りに爪楊枝などを差し込んで保持させておくための切れ込み１４が設けられている。
【００４４】
前面板１の下端両隅部から上に凸の湾曲した円弧状の前下端折罫３が設けられている。また、前面板１の下端両隅部を結ぶ直線状の前底折罫５が設けられていて、前下端折罫３と前底折罫５で囲まれて、前底面板４が形成されている。前底折罫５の下には前支持板６が設けられている。前底面板４と前支持板６には２本の前後折罫１６が設けられ、前底面板４には更に、補助折罫１７が設けられている。
【００４５】
前面板１の左側には、折罫を介して後面板２が設けられている。後面板２の下端両隅部から上に凸の台形状に屈曲した後下端折罫７が設けられている。また、後面板２の下端両隅部を結ぶ直線状の後底折罫９が設けられている。
【００４６】
後下端折罫７と後底折罫９で囲まれて、後底面板８が形成されている。後底折罫９の下には後支持板１０が設けられている。また、後面板２の上端には直線状の蓋折罫１１を介して蓋面板１２が設けられている。
【００４７】
後面板２には、縦方向の縦折罫１３、１３が設けられていて、縦折罫１３、１３は台形状に屈曲した後下端折罫７の屈曲点から上方に向かって設けられている。また、後底面板８と後支持板１０には、縦折罫１３、１３の延長線上に設けられている。
【００４８】
更に、後面板２の左側には、折罫を介して前後面板貼着片１８が設けられ、また、後支持板１０の左側には、折罫を介して支持板部貼着片１９が設けられている。
【００４９】
このブランクの前後面板貼着片１８と支持板部貼着片１９を、後面板２と後支持板１０の裏側に折り返し、次に前面板１、前底面板４、前支持板６を、後面板２、後底面板８と後支持板１０の裏側に折り返し、前後面板貼着片１８のおもて側と前面板１の裏側に貼着し、支持板部貼着片１９のおもて側と前支持板６の裏側に貼着する。
【００５０】
これにより図８のような筒状になる。保管や輸送に当たってはこの状態で行えば、平坦になっているので嵩張らず場所を取らないので便利である。
【００５１】
このような平坦にした状態から、店舗などで食品などの内容物を入れるために、組み上げるには、重なっている前面板１と後面板２の左右を押して、中央を膨らませて開く、このとき、前底面板４と後底面板８も上部が開いた状態になる。
【００５２】
そして、前支持板６と後支持板１０を前底折罫５や後底折罫９で後面板２側に倒し、次に、前底折罫５を上に押し上げるようにすると、前底面板４、前支持板６、後底面板８、及び、折り返された後支持板１０が重なり合ったまま、一緒に持ち上がり、前下端折罫３と後下端折罫７の、上に凸の形状に合わせて、左右中央部が持ち上がり、アーチ状に形成される。
【００５３】
このようにすることによって、シートの腰によって、前底面板４、前支持板６、後底面板８、後支持板１０が互いに押し付けられた状態になり、底が開いてしまうこともなく、また、左右の下端隅部に隙間が開くことがない。このため、中に入れた食品などが漏れたり、零れたりすることがない。以上のようにして、図１から図６のような、本例の容器が製造される。
【００５４】
以上、本発明の容器は、前底面板、前支持板、後底面板、後支持板が互いに押し付けられた状態になり、底が開いてしまうことがなく、また、左右の下端隅部に隙間が開くことがない。このため、中に入れた食品などが漏れたり、零れたりすることがない。
【符号の説明】
【００５５】
１・・・前面板
２・・・後面板
３・・・前下端折罫
４・・・前底面板
５・・・前底折罫
６・・・前支持板
７・・・後下端折罫
８・・・後底面板
９・・・後底折罫
１０・・・後支持板
１１・・・蓋折罫
１２・・・蓋面板
１３・・・縦折罫
１４・・・切れ込み
１５・・・前後折罫
１６・・・前後折罫
１７・・・補助折罫
１８・・・前後面板貼着片
１９・・・支持板部貼着片
【図１】
2017019535.tif 000003
【図２】
2017019535.tif 000004
【図３】
2017019535.tif 000005
【図４】
2017019535.tif 000006
【図５】
2017019535.tif 000007
【図６】
2017019535.tif 000008
【図７】
2017019535.tif 000009
【図８】
2017019535.tif 000010